(57)【要約】【課題】一方の印刷装置のメンテナンス作業を行っている間、他方の印刷装置はスクリーン印刷作業を続行できるようにしたスクリーン印刷機及びスクリーン印刷機の室内温度調節方法を提供することを目的とする。【解決手段】基台１２とカバー部材１１によって囲まれて形成される空間を仕切り部材１４によって２つに仕切り、これにより形成される２つの作業室１５のそれぞれに２つの印刷装置１３を収容したうえで、各作業室１５に開口する２つの送風口７２に分岐した送風管７１を介して各作業室１５内に温度調節された空気を送風する。【選択図】図６
2010142957.tif 000002
【特許請求の範囲】
【請求項１】
基台と、
基台の上方を覆って設けられたカバー部材と、
基台とカバー部材によって囲まれて形成される空間を２つに仕切る仕切り部材と、
基台、カバー部材及び仕切り部材によって形成される２つの作業室のそれぞれに収容され、互いに独立して基板に対するスクリーン印刷作業を実行する２つの印刷装置と、
各作業室に開口する２つの送風口に分岐した送風管と、
送風管を介して各作業室内に温度調節された空気を送風する送風部と、
を備えたことを特徴とするスクリーン印刷機。
【請求項２】
各作業室に外部からアクセスできるように設けられた複数のアクセス用扉と、
各アクセス用扉の開閉状態を検出する扉開閉検出手段と、
２つの作業室に共通する目標室内温度を設定する目標室内温度設定手段と、
各作業室の室内温度を検出する室内温度検出手段と、
扉開閉検出手段により複数のアクセス用扉の全てが開かれていない状態が検出されているときには、室内温度検出手段により検出される２つの作業室のいずれか一方の室内温度が目標室内温度設定手段により設定された温度になるように送風部より送風される空気の温度調節を行い、扉開閉検出手段により複数のアクセス用扉のいずれかが開かれている状態が検出されているときには、室内温度検出手段により検出される２つの作業室の室内温度のうちアクセス用扉が開かれていない作業室の室内温度が目標室内温度設定手段により設定された目標室内温度になるように送風部より送風される空気の温度調節を行う制御部と、
を備えたことを特徴とする請求項１に記載のスクリーン印刷機。
【請求項３】
基台と、基台の上方を覆って設けられたカバー部材と、基台とカバー部材によって囲まれて形成される空間を２つに仕切る仕切り部材と、基台、カバー部材及び仕切り部材によって形成される２つの作業室のそれぞれに収容され、互いに独立して基板に対するスクリーン印刷作業を実行する２つの印刷装置とを備えたスクリーン印刷機の室内温度調節方法であって、
各作業室に開口する２つの送風口に分岐した送風管を介して送風部より各作業室内に温度調節された空気を送風することを特徴とするスクリーン印刷機の室内温度調節方法。
【請求項４】
各作業室に外部からアクセスできるように設けられた複数のアクセス用扉の全てが開かれていないときには、２つの作業室のいずれか一方の室内温度が、２つの作業室に共通して設定された目標室内温度になるように送風部より送風する空気の温度調節を行い、複数のアクセス用扉のいずれかが開かれているときには、２つの作業室の室内温度のうちアクセス用扉が開かれていない作業室の室内温度が目標室内温度になるように送風部より送風する空気の温度調節を行うことを特徴とする請求項３に記載のスクリーン印刷機の室内温度調節方法。
【発明の詳細な説明】
【技術分野】
【０００１】
本発明は、基台とカバー部材により囲まれて形成される空間内に２つの印刷装置を備えて構成されるスクリーン印刷機及びスクリーン印刷機の室内温度調節方法に関するものである。
【背景技術】
【０００２】
スクリーン印刷機は、基台上に基板位置決め機構、マスクプレート、スキージ、ペースト供給シリンジ等から成る印刷装置を備え、基板搬送路により搬送位置決めされた基板に対してスクリーン印刷作業を実行する。このようなスクリーン印刷機の基台の上方はカバー部材によって覆われており、印刷装置は基台とカバー部材の内部に形成される作業室内に収容された状態となっている。
【０００３】
スクリーン印刷作業ではペーストの粘度を適正な値に保って一定の品質を確保する等の理由から作業室内の温度調節を行う必要があり、このためスクリーン印刷機には温度調節がなされた空気を作業室内に送風する送風部が備えられている（特許文献１）。
【０００４】
一方、スクリーン印刷機の中には、基台とカバー部材によって囲まれて形成される空間内に２つの印刷装置を設け、これら２つの印刷装置によるスクリーン印刷を同時並行的に行わせることができるようにしたタイプのものが考案されている。スクリーン印刷機のカバー部材には、オペレータが印刷装置のメンテナンス作業等を行うためのアクセス用扉が設けられており、オペレータはこのアクセス用扉を開けて印刷装置にアクセスすることができるが、基台上に２つの印刷装置が設けられているスクリーン印刷機では、各印刷装置それぞれにアクセスできるようにするため、各印刷装置に対応した位置に複数のアクセス用扉が設けられている。
【特許文献１】特開２００７−１６８０９０号公報
【発明の開示】
【発明が解決しようとする課題】
【０００５】
しかしながら、基台とカバー部材によって囲まれて形成される空間内に２つの印刷装置が設けられたスクリーン印刷機において、オペレータが一方の印刷装置のメンテナンスを行おうとしてその印刷装置に対応したアクセス用扉を開けると、そのアクセス用扉によって開けられるカバー部材の開口部を通じて空間全体の温度が変化してしまい、メンテナンス作業を行おうとした方でないもう一方の印刷装置におけるスクリーン印刷作業に影響が出てしまう（例えば使用するペーストの品質が低下してしまう）。このため、一方の印刷装置についてメンテナンス作業を行うときには他方の印刷装置でもスクリーン印刷作業を行うことができず、作業性が大きく低下するという問題点があった。
【０００６】
そこで本発明では、一方の印刷装置のメンテナンス作業を行っている間、他方の印刷装置はスクリーン印刷作業を続行できるようにしたスクリーン印刷機及びスクリーン印刷機の室内温度調節方法を提供することを目的とする。
【課題を解決するための手段】
【０００７】
請求項１に記載のスクリーン印刷機は、基台と、基台の上方を覆って設けられたカバー部材と、基台とカバー部材によって囲まれて形成される空間を２つに仕切る仕切り部材と、基台、カバー部材及び仕切り部材によって形成される２つの作業室のそれぞれに収容され、互いに独立して基板に対するスクリーン印刷作業を実行する２つの印刷装置と、各作業室に開口する２つの送風口に分岐した送風管と、送風管を介して各作業室内に温度調節
された空気を送風する送風部と、を備えた。
【０００８】
請求項２に記載のスクリーン印刷機は、請求項１に記載のスクリーン印刷機であって、各作業室に外部からアクセスできるように設けられた複数のアクセス用扉と、各アクセス用扉の開閉状態を検出する扉開閉検出手段と、２つの作業室に共通する目標室内温度を設定する目標室内温度設定手段と、各作業室の室内温度を検出する室内温度検出手段と、扉開閉検出手段により複数のアクセス用扉の全てが開かれていない状態が検出されているときには、室内温度検出手段により検出される２つの作業室のいずれか一方の室内温度が目標室内温度設定手段により設定された温度になるように送風部より送風される空気の温度調節を行い、扉開閉検出手段により複数のアクセス用扉のいずれかが開かれている状態が検出されているときには、室内温度検出手段により検出される２つの作業室の室内温度のうちアクセス用扉が開かれていない作業室の室内温度が目標室内温度設定手段により設定された目標室内温度になるように送風部より送風される空気の温度調節を行う制御部と、を備えた。
【０００９】
請求項３に記載のスクリーン印刷機の室内温度調節方法は、基台と、基台の上方を覆って設けられたカバー部材と、基台とカバー部材によって囲まれて形成される空間を２つに仕切る仕切り部材と、基台、カバー部材及び仕切り部材によって形成される２つの作業室のそれぞれに収容され、互いに独立して基板に対するスクリーン印刷作業を実行する２つの印刷装置とを備えたスクリーン印刷機の室内温度調節方法であって、各作業室に開口する２つの送風口に分岐した送風管を介して送風部より各作業室内に温度調節された空気を送風する。
【００１０】
請求項４に記載のスクリーン印刷機の室内温度調節方法は、請求項３に記載のスクリーン印刷機の室内温度調節方法であって、各作業室に外部からアクセスできるように設けられた複数のアクセス用扉の全てが開かれていないときには、２つの作業室のいずれか一方の室内温度が、２つの作業室に共通して設定された目標室内温度になるように送風部より送風する空気の温度調節を行い、複数のアクセス用扉のいずれかが開かれているときには、２つの作業室の室内温度のうちアクセス用扉が開かれていない作業室の室内温度が目標室内温度になるように送風部より送風する空気の温度調節を行う。
【発明の効果】
【００１１】
本発明では、基台とカバー部材によって囲まれて形成される空間を仕切り部材によって２つに仕切り、これにより形成される２つの作業室のそれぞれに２つの印刷装置を収容したうえで、各作業室に開口する２つの送風口に分岐した送風管を介して各作業室内に温度調節された空気を送風するようにしているので、一方の印刷装置に対応したアクセス用扉を開けることによって、その印刷装置が収容されている作業室の室内温度が変化した場合であっても、他方の印刷装置が収容されている作業室の室内温度は変化しにくい。スクリーン印刷作業では、用いられるペーストの粘度を適正な値に保って一定の品質を確保する必要がある等の理由から、作業室内の温度は設定した所定の温度に維持する必要があるが、一方の作業室に繋がるアクセス用扉を開けても他方の作業室の室内温度が変化しにくいことから、一方の印刷装置のメンテナンスを行っている間、他方の印刷装置はスクリーン印刷作業を続行することができ、その分、作業性の向上を図ることができる。
【発明を実施するための最良の形態】
【００１２】
（実施の形態１）
図１は本発明の実施の形態１におけるスクリーン印刷機の一部断面側面図、図２は発明の実施の形態１におけるスクリーン印刷機の断面正面図、図３は本発明の実施の形態１におけるスクリーン印刷機の断面平面図、図４は本発明の実施の形態１におけるスクリーン印刷機を構成する印刷作業実行部の正面図、図５は本発明の実施の形態１におけるスクリ
ーン印刷機の制御系統を示すブロック図、図６は本発明の実施の形態１におけるスクリーン印刷機が備える温度調節機の構成図、図７（ａ），（ｂ）は本発明の実施の形態１におけるスクリーン印刷機を構成する印刷作業実行部の動作説明図である。
【００１３】
図１において、スクリーン印刷機１は、本体部２及び温度調節機３を備えて成る。本体部２は基板ＰＢを水平面内の一の方向に搬送及び位置決めしてスクリーン印刷作業を実行し、温度調節機３は本体部２の内部の空間の温度調節を行う。以下の説明では、本体部２における基板ＰＢの搬送方向をＸ軸方向とし、Ｘ軸方向と直交する水平面内方向をＹ軸方向とする。また、上下方向をＺ軸方向とする。
【００１４】
図１、図２及び図３において、本体部２はカバー部材１１によって覆われた基台１２と、基台１２に設けられた２つの印刷装置１３を備えて構成されている。
【００１５】
図２及び図３において、基台１２とカバー部材１１によって囲まれて形成される空間内には、この空間をＹ軸方向に２つに仕切る仕切り部材１４が垂直方向に延びて設けられている。これら基台１２、カバー部材１１及び仕切り部材１４によって２つの作業室１５が形成されており、２つの印刷装置１３は各作業室１５内に個別に収容されている。
【００１６】
各印刷装置１３は、基台１２に設けられて基板ＰＢを水平面内方向に搬送する基板搬送路１６と、その基板搬送路１６によって搬送位置決めされる基板ＰＢに対してスクリーン印刷作業を実行する印刷作業実行部１７を備えて成る。
【００１７】
図３において各基板搬送路１６は、Ｘ軸方向に並んで設けられた搬入コンベア２１、位置決めコンベア２２及び搬出コンベア２３を有して成る。搬入コンベア２１は本体部２の外部からカバー部材１１に設けられた基板投入開口１１ａを介して投入された基板ＰＢを本体部２の内部に搬入して位置決めコンベア２２に受け渡す。位置決めコンベア２２は搬入コンベア２１から受け取った基板ＰＢを作業実行位置（図３に示す基板ＰＢの位置）に位置決めし、基板ＰＢに対するスクリーン印刷作業が終了した後、基板ＰＢ（スクリーン印刷が施された基板ＰＢ）を搬出コンベア２３に受け渡す。搬出コンベア２３は位置決めコンベア２２から受け取った基板ＰＢをカバー部材１１に設けられた基板排出開口１１ｂを介して本体部２の外部に搬出する。
【００１８】
図４において各印刷作業実行部１７は、基板搬送路１６（位置決めコンベア２２）によって位置決めされた基板ＰＢをクランプしてその基板ＰＢの水平面内方向（Ｘ軸方向及びＹ軸方向）への位置合わせと上下方向（Ｚ軸方向）への位置合わせを行う基板位置合わせ部３１、基板位置合わせ部３１の上方に設けられたマスクプレート３２及びスキージユニット３３、ＸＹロボット３４（図３）によって基板位置合わせ部３１とマスクプレート３２の間の空間を水平面内方向に移動自在に設けられたカメラユニット３５並びにマスクプレート３２に半田ペーストや導電性ペースト等のペーストを供給するシリンジユニット３６を備えている。
【００１９】
図４において、各印刷作業実行部１７の基板位置合わせ部３１は、基台１２に対してＹ軸方向に相対移動するＹテーブル３１ａ、Ｙテーブル３１ａに対してＸ軸方向に相対移動するＸテーブル３１ｂ、Ｘテーブル３１ｂに対してＺ軸回りに（水平面内で）相対回転するθテーブル３１ｃ、θテーブル３１ｃに固定されたベースプレート３１ｄ、ベースプレート３１ｄに対して相対昇降する第１昇降プレート３１ｅ、第１昇降プレート３１ｅに対して相対昇降する第２昇降プレート３１ｆ及び第２昇降プレート３１ｆに固定された下受けユニット３１ｇ及び基板位置決めコンベア２２の上方でＹ軸方向に開閉動作する一対の部材から成るクランパ３１ｈ（図３も参照）から成る。
【００２０】
図３及び図４において、マスクプレート３２は平面視において矩形形状を有するマスク枠３２ａによって四辺が支持されており、マスク枠３２ａによって囲まれた内側領域には、印刷対象物である基板ＰＢの上面に形成された電極ＤＴ（図３）の形状や位置等に対応した多数の孔から成るマスクパターン（図示せず）が設けられている。マスクプレート３２は、基板位置合わせ部３１の上方の所定のマスク設置位置（図３及び図４に示す位置）に設置される。
【００２１】
図４において、スキージユニット３３は基板位置合わせ部３１に対してＹ軸方向に移動自在に設けられた移動プレート３３ｐと、移動プレート３３ｐに取り付けられて上下方向に延びた２つのスキージ昇降シリンダ（空圧シリンダ）３３ｓと、各スキージ昇降シリンダ３３ｓの下部に取り付けられてＹ軸方向に対向する２つのスキージ３３ａを備えて成る。各スキージ３３ａはＸ軸方向に延びた「へら」状の部材であり、それぞれスキージ昇降シリンダ３３ｓの下方への突没動作によって、移動プレート３３ｐに対して昇降される。
【００２２】
図３において、ＸＹロボット３４は、基台１２の上方をＹ軸方向に延び、基台１２に相対的に固定して設けられたＹ軸ステージ３４ａ、Ｘ軸方向に延び、Ｙ軸ステージ３４ａに沿って移動自在に設けられたＸ軸ステージ３４ｂ及びＸ軸ステージ３４ｂに沿って移動自在に設けられた移動プレート３４ｃから成っている。図４において、カメラユニット３５は、ＸＹロボット３４の移動プレート３４ｃに、撮像面を下方に向けた第１カメラ３５ａと、撮像面を上方に向けた第２カメラ３５ｂが取り付けられた構成となっている。
【００２３】
図４において、シリンジユニット３６は、基板位置合わせ部３１に対して水平面内方向に移動自在に設けられた移動プレート３６ｐに、基板ＰＢに印刷しようとするペーストを下方に吐出するシリンジ３６ａが取り付けられた構成となっている。
【００２４】
各基板搬送路１６を構成する搬入コンベア２１、位置決めコンベア２２及び搬出コンベア２３による基板ＰＢの搬送及び位置決め動作は、このスクリーン印刷機１の本体部２が備える制御装置４０（図５）が図示しないアクチュエータ等から成る基板搬送路作動機構４１（図５）の作動制御を行うことによってなされる。
【００２５】
基台１２に対するＹテーブル３１ａのＹ軸方向への移動、Ｙテーブル３１ａに対するＸテーブル３１ｂのＸ軸方向への移動、Ｘテーブル３１ｂに対するθテーブル３１ｃのＺ軸回りの回転、ベースプレート３１ｄに対する（すなわちθテーブル３１ｃに対する）第１昇降プレート３１ｅの昇降、第１昇降プレート３１ｅに対する第２昇降プレート３１ｆの（すなわち下受けユニット３１ｇの）昇降及びクランパ３１ｈの開閉動作の各動作は、制御装置４０がＹテーブル駆動モータＭｙやＸテーブル駆動モータＭｘ（図４）等のアクチュエータ等から成る基板位置合わせ部作動機構４２（図５）の作動制御を行うことによってなされる。
【００２６】
スキージユニット３３の移動（移動プレート３３ｐの移動）動作は、制御装置４０が図示しないアクチュエータ等から成るスキージユニット移動機構４３（図５）の作動制御を行うことによってなされ、各スキージ３３ａの昇降動作は、制御装置４０が前述のスキージ昇降シリンダ３３ｓ等から成るスキージ昇降機構４４（図５）の作動制御を行うことによってなされる。
【００２７】
ＸＹロボット３４を構成するＸ軸ステージ３４ｂのＹ軸方向への移動動作及び移動プレート３４ｃのＸ軸方向への移動動作は、制御装置４０が図示しないアクチュエータ等から成るＸＹロボット作動機構４５（図５）の作動制御を行うことによってなされる。
【００２８】
第１カメラ３５ａは、制御装置４０に制御されて、基板位置合わせ部３１によって位置
合わせされた基板ＰＢに設けられている基板位置検出マークＭ（図３）の撮像を行い（図５）、第２カメラ３５ｂは、制御装置４０に制御されて、マスクプレート３２に設けられているマスク位置検出マーク（図示せず）の撮像を行う（図５）。第１カメラ３５ａの撮像によって得られた画像データ及び第２カメラ３５ｂの撮像によって得られた画像データは制御装置４０に入力される（図５）。
【００２９】
シリンジユニット３６の移動（移動プレート３６ｐの移動）動作は、制御装置４０が図示しないアクチュエータ等から成るシリンジユニット移動機構４６（図５）の作動制御を行うことによってなされ、シリンジ３６ａによるペーストの供給動作は、制御装置４０が図示しないアクチュエータ等から成るシリンジ作動機構４７（図５）の作動制御を行うことによってなされる。
【００３０】
図２において、カバー部材１１には、各作業室１５内に個別にアクセス可能な開口部であるアクセス開口５１が設けられており（図２では紙面左側のアクセス開口５１のみ示す）、図１及び図２に示すように、各作業室１５に繋がる各アクセス開口５１にはアクセス用扉５２がヒンジ部５３を支点にしてアクセス開口５１に対して開閉自在に設けられている。ここで、図２の紙面左側のアクセス用扉５２は左側の印刷装置１３を収容する作業室１５を外部に開放して、このスクリーン印刷機１のオペレータが左側の印刷装置１３にアクセスすることを可能にするものであり、図２の紙面右側のアクセス用扉５２は右側の印刷装置１３を収容する作業室１５を外部に開放して、オペレータが右側の印刷作業装置１３にアクセスすることを可能にするものである。
【００３１】
図２において、カバー部材１１には各アクセス用扉５２の開閉状態の検出を行う２つの扉開閉検出センサ５４が設けられている。各扉開閉検出センサ５４は例えば、アクセス用扉５２の開閉動作によって操作されるレバー部（図示せず）を有するリミットスイッチから成り、その検出信号（アクセス用扉５２の開閉状態を示す信号）は制御装置４０に入力される（図５）。
【００３２】
図１及び図６において、温度調節機３は本体部２の内部に設けられた室内機６１と本体部２の外部に設けられた室外機６２を有し、室内機６１と室外機６２は送風ダクト６３によって連結されている。
【００３３】
図２及び図３において、室内機６１は、本体部２の仕切り部材１４の上部に、仕切り部材１４を横方向に貫通するように設けられている。図６において、室内機６１には、送風ダクト６３を介して室外機６２と繋がる送風管７１が設けられており、送風管７１は各作業室１５に開口する２つの送風口７２に分岐している。
【００３４】
図６において、室外機６２には膨張弁や圧縮機、ファン６２ａ（図１）等を駆動して送風管７１より送風される空気の温度調節を行う温度調節部７３が設けられている。
【００３５】
図６において、室内機６１にはファン等から成る送風部７４と、送風部７４及び室外機６２の温度調節部７３の作動制御を行う制御部７５が設けられている。送風管７１内には送風温度検出センサ７６が設けられている。
【００３６】
図６において、２つの作業室１５の一方には目標室内温度設定部７７が設けられており、オペレータはこの目標室内温度設定部７７により、２つの作業室１５に共通する目標室内温度を設定することができる。
【００３７】
室内機６１内の制御部７５は、目標室内温度設定部７７により設定された目標室内温度と、送風温度検出センサ７６によって検出される送風管７１内の空気の温度（以下、検出
室内温度）とを比較し、検出室内温度が目標室内温度と一致するように温度調節部７３を作動させる。これにより２つの作業室１５内には、目標室内温度設定部７７により設定した温度の空気が送風され、各作業室１５の室内温度は、オペレータが目標室内温度設定部７７で設定した目標室内温度に維持される。
【００３８】
スクリーン印刷機１の本体部２の制御装置４０は、図示しない検出手段によって、オペレータ（或いは本体部２の上流側に設置された図示しない他の装置）から基板搬送路１６（搬入コンベア２１）に基板ＰＢが投入されたことを検知したら、搬入コンベア２１と位置決めコンベア２２を作動させ、投入された基板ＰＢを搬入コンベア２１によって受け取って本体部２の内部に搬入し、位置決めコンベア２２に受け渡す。制御装置４０は、位置決めコンベア２２により基板ＰＢを受け取ったら、位置決めコンベア２２をそのまま作動させ、基板ＰＢが作業実行位置に到達したところで位置決めコンベア２２を停止させて、基板ＰＢを作業実行位置に位置決めする（基板位置決め工程）。
【００３９】
制御装置４０は、基板ＰＢを作業実行位置に位置決めしたら、基板位置合わせ部３１の第２昇降プレート３１ｆを第１昇降プレート３１ｅに対して相対上昇させ、下受けユニット３１ｇの上面を基板ＰＢの下面に下方から当接させて、下受けユニット３１ｇに基板ＰＢを支持させる。下受けユニット３１ｇに基板ＰＢを支持させたら、制御装置４０はクランパ３１ｈにより基板ＰＢをクランプしたうえで更に第２昇降プレート３１ｆを上昇させ、下受けユニット３１ｇで基板ＰＢを押し上げる。これにより基板ＰＢは両端をクランパ３１ｈに対して摺動させながら上昇し、位置決めコンベア２２から上方に離間し、かつ基板ＰＢの上面が両クランパ３１ｈの上面と同じ高さになった状態で、基板位置合わせ部３１に固定される（基板固定工程）。
【００４０】
制御装置４０は、基板ＰＢを基板位置合わせ部３１に固定したら、カメラユニット３５の移動と第１カメラ３５ａの撮像動作制御を行って基板ＰＢの基板位置検出マークＭの画像データを取得し、基板ＰＢの位置を把握するとともに、カメラユニット３５の移動と第２カメラ３５ｂの撮像動作制御を行ってマスクプレート３２のマスク位置検出マークの画像データを取得し、マスクプレート３２の位置を把握する。
【００４１】
制御装置４０は、基板ＰＢの位置とマスクプレート３２の位置を把握したら、基板位置合わせ部３１による基板ＰＢの水平面内方向の移動動作によって、基板ＰＢをマスクプレート３２の直下の所定位置に位置させた後、基板位置合わせ部３１による基板ＰＢの垂直方向の移動（第１昇降プレート３１ｅの上昇）動作によって、基板ＰＢの上面をマスクプレート３２の下面に下方から接触させる（図７（ａ）の図中に示す矢印Ａ１）。これによりマスクプレート３２が基板ＰＢに対して位置合わせされる（図７（ａ）。基板位置合わせ工程）。
【００４２】
制御装置４０は、マスクプレート３２に対する基板ＰＢの位置合わせを行ったら、基板ＰＢに対するスクリーン印刷を実行する。これには先ず、シリンジユニット３６をマスクプレート３２の上方に移動させ、シリンジ３６ａからマスクプレート３２の上面にペーストＰＴを供給する（図７（ａ）。ペースト供給工程）。
【００４３】
制御装置４０は、マスクプレート３２の上面にペーストＰＴを供給したら、一方のスキージ３３ａを下降させてそのスキージ３３ａの下縁をマスクプレート３２の上面に当接させる。そして、スキージユニット３３をＹ軸方向に移動させ、スキージ３３ａをマスクプレート３２上で摺動させることによってペーストＰＴをかき寄せて（図７（ｂ）中に示す矢印Ａ２）、ペーストＰＴをマスクプレート３２のパターン孔内に充填させる（図７（ｂ）。スキージング工程）。
【００４４】
なお、図７（ｂ）は、図中の左側のスキージ３３ａを矢印Ａ２の方向に移動させることによってペーストＰＴを矢印Ａ２の方向にかき寄せる様子を示したものである。ペーストＰＴを矢印Ａ２と反対の方向にかき寄せるときには、図中の右側のスキージ３３ａをマスクプレート３２の上面に当接させて、スキージユニット３３を矢印Ａ２と反対の方向に移動させる。
【００４５】
制御装置４０は、マスクプレート３２のパターン孔内にペーストＰＴを充填させたら、第１昇降プレート３１ｅを下降させてマスクプレート３２から基板ＰＢを分離させる。これにより、いわゆる版離れが行われ、マスクプレート３２のパターン孔内に充填されたペーストＰＴが基板ＰＢ上に印刷（転写）される（版離れ工程）。
【００４６】
制御装置４０は、基板ＰＢへのペーストＰＴの印刷作業が終了したら、クランパ３１ｈを開いて基板ＰＢのクランプを解いた後、第２昇降プレート３１ｆを下降させて基板ＰＢを位置決めコンベア２２上に載置したうえで、基板位置合わせ部３１を作動させて、位置決めコンベア２２の搬出コンベア２３に対する位置調整を行う。位置決めコンベア２２の搬出コンベア２３に対する位置調整が終了したら、制御装置４０は位置決めコンベア２２と搬出コンベア２３を作動させ、基板ＰＢを位置決めコンベア２２から搬出コンベア２３に載せ換え、更に搬出コンベア２３によって、基板ＰＢを本体部２の下流側に配置された他の装置に搬出する（基板搬出工程）。
【００４７】
このようにスクリーン印刷機１の本体部２は、２つの印刷装置１３により独立して基板ＰＢに対するスクリーン印刷作業を同時並行的に実行するが、このようなスクリーン印刷の実行中に、２つの作業室１５の一方に収容されている印刷装置１３のメンテナンス作業等を行おうとした場合、オペレータは、その印刷装置１３の作動を停止させたうえで、その印刷装置１３が収容されている作業室１５のアクセス用扉５２を開くことになる。この場合、アクセス用扉５２が開かれた側の作業室１５は外気に開放されてその室内温度は設定した目標室内温度とは離れた温度に変化してしまうが、アクセス用扉５２が開かれていない側の作業室１５は外気に開放されないので、室内温度は変化しない。
【００４８】
以上説明したように、実施の形態１におけるスクリーン印刷機１は、基台１２と、基台１２の上方を覆って設けられたカバー部材１１と、基台１２とカバー部材１１によって囲まれて形成される空間を２つに仕切る仕切り部材１４と、基台１２、カバー部材１１及び仕切り部材１４によって形成される２つの作業室１５のそれぞれに収容され、互いに独立して基板ＰＢに対するスクリーン印刷作業を実行する２つの印刷装置１３と、各作業室１５に開口する２つの送風口７２に分岐した送風管７１と、送風管７１を介して各作業室１５内に温度調節された空気を送風する送風部７４を備えたものとなっている。
【００４９】
また、実施の形態１におけるスクリーン印刷機１の室内温度調節方法は、各作業室１５に開口する２つの送風口７２に分岐した送風管７１を介して送風部７４より各作業室１５内に温度調節された空気を送風するものとなっている。
【００５０】
すなわち実施の形態１におけるスクリーン印刷機１では、基台１２とカバー部材１１によって囲まれて形成される空間を仕切り部材１４によって２つに仕切り、これにより形成される２つの作業室１５のそれぞれに２つの印刷装置１３を収容したうえで、各作業室１５に開口する２つの送風口７２に分岐した送風管７１を介して各作業室１５内に温度調節された空気を送風するようにしているので、一方の印刷装置１３に対応したアクセス用扉５２を開けることによって、その印刷装置１３が収容されている作業室１５の室内温度が変化した場合であっても、他方の印刷装置１３が収容されている作業室１５の室内温度は変化しにくい。
【００５１】
スクリーン印刷作業では、用いられるペーストＰＴの粘度を適正な値に保って一定の品質を確保する必要がある等の理由から、作業室１５内の温度は設定した所定の温度に維持する必要があるが、一方の作業室１５に繋がるアクセス用扉５２を開けても他方の作業室１５の室内温度が変化しにくいことから、一方の印刷装置１３のメンテナンスを行っている間、他方の印刷装置１３はスクリーン印刷作業を続行することができ、その分、作業性の向上を図ることができる。
【００５２】
（実施の形態２）
図８は本発明の実施の形態２におけるスクリーン印刷機が備える温度調節機の構成図である。実施の形態２では、実施の形態１における送風温度検出センサ７６が除かれるとともに、２つの作業室１５それぞれに室内温度検出センサ７８が設けられている。各室内温度検出センサ７８はその室内温度検出センサ７８が設けられた作業室１５の室内温度を検出し、その検出結果を室内機６１内の制御部７５に入力する。
【００５３】
図８において、室内機６１内の制御部７５には、本体部２の制御装置４０に入力された２つのアクセス用扉５２の開閉状態を示す信号が入力されるようになっており、制御部７５は、２つの扉開閉検出センサ５４により２つのアクセス用扉５２がともに開かれていない状態が検出されているときには、２つの室内温度検出センサ７８により検出される２つの作業室１５のいずれか一方の室内温度が目標室内温度設定部７７により設定された温度になるように、送風部７４より送風する空気の温度調節を行う。このため２つの作業室１５のアクセス用扉５２がともに閉じられているときには、２つの作業室１５の室内温度はともにオペレータが設定した目標室内温度に維持される。
【００５４】
一方、制御部７５は、２つの扉開閉検出センサ５４により２つのアクセス用扉５２のいずれかが開かれた状態が検出されているときには、室内温度検出センサ７８により検出される２つの作業室１５の室内温度のうちアクセス用扉５２が開かれていない作業室１５の室内温度が目標室内温度設定部７７により設定された目標室内温度になるように、送風部７４より送風する空気の温度調節を行う。このため、一方のアクセス用扉５２が開かれてそのアクセス用扉５２に繋がる作業室１５の室内温度が目標室内温度から変化しても、アクセス用扉５２が開かれていない方の作業室１５の室内温度は、オペレータが設定した目標室内温度に維持される。
【００５５】
このように、実施の形態２におけるスクリーン印刷機１では、各作業室１５に外部からアクセスできるように設けられた２つのアクセス用扉５２と、各アクセス用扉５２の開閉状態を検出する扉開閉検出手段としての２つの扉開閉検出センサ５４と、２つの作業室１５に共通する目標室内温度を設定する目標室内検出手段としての目標室内温度設定部７７と、各作業室１５の室内温度を検出する室内温度検出手段としての２つの室内温度検出センサ７８と、２つの扉開閉検出センサ５４により２つのアクセス用扉５２の全てが開かれていない状態が検出されているときには、室内温度検出センサ７８により検出される２つの作業室１５のいずれか一方の室内温度が目標室内温度設定部７７により設定された温度になるように送風部７４より送風される空気の温度調節を行い、２つの扉開閉検出センサ５４により２つのアクセス用扉５２のいずれかが開かれている状態が検出されているときには、２つの室内温度検出センサ７８により検出される２つの作業室１５の室内温度のうちアクセス用扉５２が開かれていない作業室１５の室内温度が目標室内温度設定部７７により設定された目標室内温度になるように送風部７４より送風される空気の温度調節を行う制御部７５を備えたものとなっている。
【００５６】
また、実施の形態２におけるスクリーン印刷機１の室内温度調節方法は、各作業室１５に外部からアクセスできるように設けられた複数（ここでは２つ）のアクセス用扉５２の全てが開かれていない（２つとも閉じられている）ときには、２つの作業室１５のいずれ
か一方の室内温度が、２つの作業室１５に共通して設定された目標室内温度になるように送風部７４より送風する空気の温度調節を行い、複数のアクセス用扉５２のいずれかが開かれているときには、２つの作業室１５の室内温度のうちアクセス用扉５２が開かれていない作業室１５の室内温度が目標室内温度になるように送風部７４より送風する空気の温度調節を行うものとなっている。
【００５７】
実施の形態２のスクリーン印刷機１では、２つのアクセス用扉５２の双方が閉じられている状態では、２つの作業室１５の室内温度を目標室内温度に一致させようとするフィードバック制御が働き、２つのアクセス用扉５２のうちの一方が開けられた場合には、アクセス用扉５２が開けられていない方の作業室１５の室内温度を目標室内温度に一致させようとするフィードバック制御が働く。このため、アクセス用扉５２が開かれた一方の作業室１５の室内温度が変化した場合であっても、アクセス用扉５２が開かれていない他方の作業室１５の室内温度を一定に保つ効果が、実施の形態１におけるスクリーン印刷機１の場合よりもより一層効果的に発揮されることとなる。
【００５８】
これまで本発明の実施の形態について説明してきたが、本発明は上述したものに限定されない。例えば、上述の実施の形態では、アクセス用扉５２が各作業室１５に対して１つずつ設けられていたが、これは一例に過ぎず、アクセス用扉５２の数は各作業室１５に対して複数設けられていてもよい。アクセス用扉５２が各作業室１５に対して複数設けられる場合には、各アクセス用扉５２の開閉状態を検出する扉開閉検出センサ５４をアクセス用扉５２の数だけ設けてこれを扉開閉検出手段とする。そして、そのうえで、制御部７５は、扉開閉検出手段により複数のアクセス用扉５２の全てが開かれていない状態が検出されているときには、扉開閉検出手段により検出される２つの作業室１５のいずれか一方の室内温度が目標室内温度設定部７７により設定された温度になるように送風部７４より送風される空気の温度調節を行い、扉開閉検出手段により複数のアクセス用扉５２のいずれかが開かれている状態が検出されているときには、室内温度検出センサ７８により検出される２つの作業室１５の室内温度のうちアクセス用扉５２が開かれていない作業室１５の室内温度が目標室内温度設定部７７により設定された目標室内温度になるように送風部７４より送風される空気の温度調節を行う制御を行うようにすればよい。
【産業上の利用可能性】
【００５９】
一方の印刷装置のメンテナンス作業を行っている間、他方の印刷装置はスクリーン印刷作業を続行できるようにしたスクリーン印刷機及びスクリーン印刷機の室内温度調節方法を提供する。
【図面の簡単な説明】
【００６０】
【図１】本発明の実施の形態１におけるスクリーン印刷機の一部断面側面図
【図２】発明の実施の形態１におけるスクリーン印刷機の断面正面図
【図３】本発明の実施の形態１におけるスクリーン印刷機の断面平面図
【図４】本発明の実施の形態１におけるスクリーン印刷機を構成する印刷作業実行部の正面図
【図５】本発明の実施の形態１におけるスクリーン印刷機の制御系統を示すブロック図
【図６】本発明の実施の形態１におけるスクリーン印刷機が備える温度調節機の構成図
【図７】（ａ）（ｂ）本発明の実施の形態１におけるスクリーン印刷機を構成する印刷作業実行部の動作説明図
【図８】本発明の実施の形態２におけるスクリーン印刷機が備える温度調節機の構成図
【符号の説明】
【００６１】
１  スクリーン印刷機
１１  カバー部材
１２  基台
１３  印刷装置
１４  仕切り部材
１５  作業室
５２  アクセス用扉
５４  扉開閉検出センサ（扉開閉検出手段）
７１  送風管
７２  送風口
７４  送風部
７５  制御部
７７  目標室内温度設定部（目標室内温度設定手段）
７８  室内温度検出センサ（室内温度検出手段）
ＰＢ  基板
【図１】
2010142957.tif 000003
【図２】
2010142957.tif 000004
【図３】
2010142957.tif 000005
【図４】
2010142957.tif 000006
【図５】
2010142957.tif 000007
【図６】
2010142957.tif 000008
【図７】
2010142957.tif 000009
【図８】
2010142957.tif 000010